(57)【要約】【課題】  この発明は、先に出願したダンゴ遠投ウキ２に関するものである。  それは磯または防波堤などの釣方で技術的に難しいダンゴの遠投が簡単に出来るようにウキに乗せて運び、遠投を可能とし、特にダンゴの大きさの大小、そしてダンゴの包み方に神経を使わずともダンゴ放出ができ、当たりの感度も良いダンゴ遠投ウキ２において、その確実な浮き上がり品質を提供するものである。【解決手段】  ウキ本体（１）の周囲から下部の位置に、超弾性合金線（２）と、糸または紐（３）を取り付けた、そして超弾性合金線（２）の端に係留部（４）を形成した、また糸または紐（３）の端に返し形状のストッパー（６）を形成したことにおいて、  係留部（４）を、回転自在の係留部（７）として、また弾力線を超弾性合金線以外の弾力線（１７）も使用した。【選択図】図１
2007306901.tif 000002
【特許請求の範囲】
【請求項１】
ウキ本体（１）の周囲から下部の位置に、超弾性合金線（２）と、糸または紐（３）を取り付けた、そして超弾性合金線（２）の端に係留部（４）を形成した、また糸または紐（３）の端に返し形状のストッパー（６）を形成したことにおいて、
係留部（４）を、回転自在の係留部（７）として、また弾力線を超弾性合金線以外の弾力線（１７）も使用したことを特徴とする回転式係留部付ダンゴ遠投ウキ２。
【請求項２】
超弾性合金線以外の弾力線（１７）は複合する材料の弾力線（１４）または合成樹脂製弾力糸（５）とした請求項１の回転式係留部付ダンゴ遠投ウキ２。
【発明の詳細な説明】
【技術分野】
【０００１】  この発明は、先に出願したダンゴ遠投ウキ２に関するものである。
それは磯または防波堤などの釣方で技術的に難しいダンゴの遠投が簡単に出来るようにウキに乗せて運び、遠投を可能とし、特にダンゴの大きさの大小、そしてダンゴの包み方に神経を使わずともダンゴ放出ができ、当たりの感度も良いダンゴ遠投ウキ２において、その確実な浮き上がり品質を追求したものである。
【背景技術】
【０００２】  従来の技術では、遠投後の着水前または着水後にダンゴ遠投ウキ２がダンゴを放出することを発明した。
ダンゴ遠投ウキ２では、慣れの必要なく簡単な機能でダンゴが遠投、放出できた。そしてダンゴを手で持って投げることが上手くいかない人でも、竿の弾力を利用しダンゴの遠投ができた。
ただしダンゴ遠投ウキ２の固定枠の代わりに超弾性合金線を使用したものでは、約１０回に１回の割合で、ダンゴが沈降していくに従いダンゴ遠投ウキ２もそれに引かれ一緒に沈んでしまった。
これは約１０回に１回の割合といえども商品として致命的な欠陥であった。
【特許文献１】
【０００３】  発明の名称  ダンゴ遠投ウキ２
出願日    平成１７年５月１２日
出願番号  特願  ２００５−１６８８２１
【発明の開示】
【発明が解決しようとする課題】
【０００４】  請求項１では、
ダンゴ遠投ウキ２の固定枠の代わりに超弾性合金線を使用したもので、約１０回に１回の割合といえどもダンゴが沈降して、それに引かれ一緒に沈んでしまわないこと。
そして風の強い日の糸絡み対策とすること。
またダンゴ遠投ウキ２の扱いをより簡単にすること。
その他、糸の通りを良くしてウキの位置をスピーデーに確認できること。【０００５】  請求項２では
超弾性合金線以外の弾力線または弾力糸で、複合する材料の弾力線（１４）または合成樹脂製弾力糸（５）も使用できること。
【課題を解決するための手段】
【０００６】    本発明は上記課題を解決する為のもので、
請求項１では、
ウキ本体（１）の周囲から下部の位置に、超弾性合金線（２）と、糸または紐（３）を取り付けた、そして超弾性合金線（２）の端に係留部（４）を形成した、また糸または紐（３）の端に返し形状のストッパー（６）を形成したことにおいて、
係留部（４）を、回転自在の係留部（７）として、また弾力線を超弾性合金線以外の弾力線（１７）も使用した。【０００７】  請求項２では、
超弾性合金線以外の弾力線（１７）は複合する材料の弾力線（１４）または合成樹脂製弾力糸（５）とした。
【発明の効果】
【０００８】  請求項１では、
ダンゴ遠投ウキ２の固定枠の代わりに超弾性合金線を使用したもので、ダンゴが沈降してもそれに引かれず一緒に沈まなくなった。
そこで約１０回に１回の無駄な動作をしなくとも良くなり、楽しさを持続できた。
また風の強い日の糸絡みを防止できた。
さらに道糸の糸通し方向の指定がなくなり、仕掛け作りの間違いがなくなったのでダンゴ遠投ウキ２の扱いをより簡単にすることができた。
その他、糸の通りが良くなったので道糸が下方に出ている状態でも、糸の通り方向が自在となってダンゴ遠投ウキ２は沈みにくくなったので、結果としてその位置をスピーデーに確認できるようになった。
以上により、商品として致命的な欠陥を克服したので、商品として生かせることができた。また全体に品質を上げることができた。【０００９】  請求項２では
超弾性合金線以外の弾力線または弾力糸で、複合する材料の弾力線（１４）または合成樹脂製弾力糸（５）も使用できアイテムの幅が広がって、さらにコストダウンができた。
【発明を実施するための最良の形態】
【００１０】  以下、本発明の構造について説明する。
請求項１では、図１、図２、に示すように、
ウキ本体（１）の周囲から下部の位置に、超弾性合金線（２）と、糸または紐（３）を取り付けた、そして超弾性合金線（２）の端に係留部（４）を形成した、また糸または紐（３）の端に返し形状のストッパー（６）を形成したことにおいて、
係留部（４）を、回転自在の係留部（７）として、また弾力線を超弾性合金線以外の弾力線（１７）も使用した。
【実施例１】
【００１１】  図３に示すように、回転自在の係留部（７）は、リング部（９）に内部リング止めパイプ（１０）を挿入して冷間溶接または接着剤、その他ロウ付けで固定した。
そしてパイプ（８）に挿入し、パイプ（８）の端をカシメた。
【実施例２】
【００１２】  または、図４に示すように、回転自在の係留部（７）は、リング部（９）に抜け止めパイプ（１１）を挿入し、そして内部リング止めパイプ（１０）を挿入し冷間溶接または接着剤、その他ロウ付けで固定し、さらにそれをパイプ（８）に挿入し抜け止めパイプ（１１）の部分で冷間溶接または接着剤、その他ロウ付けで固定した。【００１３】  上記した実施例１または実施例２とも、超弾性合金線（２）または超弾性合金線以外の弾力線（１７）を他のパイプに接着剤またはカシメて固定し、それをパイプ（８）に挿入し冷間溶接または接着剤、その他カシメて、またはロウ付けで固定した。
また、リング部（９）の材質は、ステンレス合金、チタン合金、または表面処理をした鋼線でも良い。
そしてパイプ（８）などのパイプは、加工性が良いので、真鍮またはアルミ合金を使用した。
以上実施例をあげたが、取り付け方法、材質はこれに限定されない。【００１４】  ここで本発明にいたる過程を述べる、
ダンゴ遠投ウキ２の固定枠に超弾性合金線を使用したものでは、約１０回に１回の割合で、ダンゴが沈降していくに従いダンゴ遠投ウキ２もそれに引かれ一緒に沈んでしまった。
当初、この原因は糸通の孔に問題があると考えた。
図５に示すように、糸通の孔を直径２．２ミリまで大きくし滑りの良いコーティングをして実地試験したところ、好結果はえられず失敗した。【００１５】  そこでこの原因は超弾性合金線が浮力に対してショツクアブゾーバーの役目をはたしていると考えた。
そして図６に示すように、糸通の孔を幅２．２ミリの長孔として実地試験したところ、またもや好結果はえられなかった。
また、ダンゴ遠投ウキ２がそれに引かれ一緒に沈んだ状態で、数回にわたって静かに仕掛けを引き上げても何ら変化は見当たらなかった。
そこで前例もなくデータ−もない為、繰り返し試験をしているうちに思考錯誤の末、現地の状況で風の強い日と、ダンゴ遠投ウキ２のダンゴを放出する状態で、ダンゴ遠投ウキ２とダンゴの距離が短いときに発生度合いが多いことが判明した。
以上の事から、道糸が超弾性合金線に絡むのが原因ではないかと考え、
図１０に示すように、係留部（４）に回転自在の係留部（７）を採用し試験したところ、ダンゴが沈んでもダンゴ遠投ウキ２はそれに引かれ一緒に沈まなくなった。【００１６】  よって回転自在の係留部（７）は、風の強い日でも自在に回転し道糸が超弾性合金線に糸絡するのを防止した。【００１７】  従来は、係留部（４）に仕掛けを通すのに、浮き下に向い、ウキ本体（１）の中心より外側に向けて道糸を通さないと、ダンゴ放出に支障がでた。
この制約は間違った仕掛け作りをすることがあったが、回転自在の係留部（７）によって道糸の糸通し方向の指定がなくなり、仕掛け作りの間違いがなくなったのでダンゴ遠投ウキ２の扱いをより簡単にすることができた。
またダンゴを包み、返し形状のストッパー（６）を掛ける場合には道糸を引いた状態であるので、回転自在の係留部（７）は一定方向を向き回転しないので、なんら問題はなかった。【００１８】  その他、ダンゴが沈降していく状態で、回転自在の係留部（７）によって、係留部を境に道糸を引く側と、引っ張られる側の入出角度が最適となって糸の通りが良くなった。
よって浮力の小さいウキ本体（１）でもこの状態でウキは沈みにくくなり、結果としてその位置をスピーデーに確認できるようになった。【００１９】  以下、本発明、請求項２の構造について説明する。
図１１、図１２、図７、図８、に示すように、
超弾性合金線以外の弾力線（１７）は複合する材料の弾力線（１４）または合成樹脂製弾力糸（５）とした。【００２０】  約１０回に１回の割合で、ダンゴが沈降していくに従いダンゴ遠投ウキ２もそれに引かれ一緒に沈んでしまう欠陥は、風の強い日と、ダンゴ遠投ウキ２のダンゴを放出する状態で、ダンゴ遠投ウキ２とダンゴの距離が短いときに発生度合いが多いことが判明した。そして道糸が超弾性合金線に絡むのが原因ということで本発明にいたったが、それまでは事実が解らなかった。
そこで弾力の弱い複合する材料の弾力線（１４）または合成樹脂製弾力糸（５）を使用した場合には、超弾性合金線（２）よりもダンゴの放出方向に弾力が不足していたので、従来は糸絡みしてダンゴが沈降していくに従いダンゴ遠投ウキ２もそれに引かれ一緒に沈んでしまった。この現象をダンゴが外れないからと判断してしまうこともあった。
しかし本発明によって糸絡み対策がとれたので、複合する材料の弾力線（１４）または弾力の弱い合成樹脂製弾力糸（５）も使用できるようになった。
【実施例３】
【００２１】    弾力の弱い弾力線または合成樹脂製弾力糸の性質は、ダンゴに巻きつけて潰れず、伸ばした時にある程度直線となることである。
図１１に示すように、複合する材科の弾力線（１４）で一例を上げると、直径０．８ミリの金属製ワイヤー（１５）にリリアン糸（１６）、を被せて使用した。
または直径０．８ミリの金属製ワイヤー（１５）に合成樹脂製ビニールパイプを被せて使用した。
図１２に示すように、ナイロン糸に、リリアン糸を被せて使用した。
その他、ナイロン糸に、合成樹脂製ビニールパイプを被せて使用した。【００２２】  合成樹脂製弾力糸（５）は、一例を上げると材質をナイロンまたはフロロカーボンなどを使用した。またナイロン製の釣糸などを使用した場合には、サイズ約２０号程度であった。
以上、複合する材料の弾力線（１４）または合成樹脂製弾力糸（５）の材質は上記した性質を保持していれば、材質はこれに限定されない。【００２３】  本発明によりダンゴ遠投ウキ２は、超弾性合金線以外の弾力線または弾力糸で、複合する材料の弾力線（１４）または合成樹脂製弾力糸（５）も使用でき、少しづつ使用感がことなりアイテムの幅が広がって楽しさが増えた。さらにコストダウンができた。
【実施例４】
【００２４】    図９に示すように、ダンゴを包む枠が、金属製または合成樹脂製の固定枠（１２）において、枠が固定であるため超弾性合金線（２）ほどの重要性はないが回転自在の係留部（７）は糸絡み防止になった。
【図面の簡単な説明】
【００２５】
【図１】  本発明の正面図
【図２】  本発明の側面図
【図３】  本発明の実施例、係留部の説明図
【図４】  本発明の実施例、異なる係留部の説明図
【図５】  本発明の実施例、糸通の孔を大きくした正面図
【図６】  本発明の実施例，糸通の孔を長穴とした正面図
【図７】  本発明の実施例、合成樹脂製弾力糸を使用した正面図
【図８】  本発明の実施例、合成樹脂製弾力糸を使用した側面図
【図９】  本発明の実施例、枠を固定枠とした側面図
【図１０】  本発明の実施例、係留部の回転方向を示す説明図
【図１１】  本発明の実施例、複合する材料の弾力線において、金属製ワイヤーにリリアン糸を被せて使用した説明図
【図１２】  本発明の実施例、複合する材料の弾力線において、ナイロン糸に、リリアン糸を被せて使用した説明図
【符号の説明】
【００２６】  １ウキ本体、２超弾性合金線、３糸または紐、４係留部、５合成樹脂製弾力糸、６返し形状のストッパー、７回転自在の係留部、８パイプ、９リング部、１０内部リング止めパイプ、１１抜け止めパイプ、１２固定枠、１３長孔、１４複合する材料の弾力線、１５金属製ワイヤー、１６リリアン糸、１７超弾性合金線以外の弾力線、１８ナイロン糸
【図１】
2007306901.tif 000003
【図２】
2007306901.tif 000004
【図３】
2007306901.tif 000005
【図４】
2007306901.tif 000006
【図５】
2007306901.tif 000007
【図６】
2007306901.tif 000008
【図７】
2007306901.tif 000009
【図８】
2007306901.tif 000010
【図９】
2007306901.tif 000011
【図１０】
2007306901.tif 000012
【図１１】
2007306901.tif 000013
【図１２】
2007306901.tif 000014